(57)【要約】【課題】アルミニウム合金製の押出形材からなる土台と木製の柱材との接続構造であって、柱材を簡単かつ確実に土台に建て込むことが可能な土台と柱材との接続構造を提供することを課題とする。【解決手段】中空のアルミニウム合金製の押出形材からなる土台１０と、木製の柱材２０との接合構造であって、柱材２０の下端部に形成されたホゾ２２を土台１０の上面に形成された開口部１２ｂから土台１０の内部に嵌挿し、土台１０の側面から柱材２０のホゾ２２を貫通する固着具３０を打ち込む。【選択図】      図４
2006207208.tif 000002
【特許請求の範囲】
【請求項１】
中空のアルミニウム合金製の押出形材からなる土台と、木製の柱材との接合構造であって、
前記柱材の下端部が、前記土台の上面に形成された開口部から前記土台の内部に嵌挿されていることを特徴とする土台と柱材との接合構造。
【請求項２】
前記柱材の下端部を貫通する固着具が前記土台の側面から打ち込まれていることを特徴とする請求項１に記載の土台と柱材との接合構造。
【請求項３】
前記土台の内部には、前記土台の長手方向に沿って一対の仕切壁が一体に押出成形されており、
前記柱材は、柱本体と、当該柱本体の下端面に突設されたホゾとを有しており、
前記柱本体の下端面が前記土台の上面に当接した状態で、前記ホゾが前記両仕切壁の間に嵌め込まれていることを特徴とする請求項１又は請求項２に記載の土台と柱材との接合構造。
【発明の詳細な説明】
【技術分野】
【０００１】
本発明は、アルミニウム合金製の押出形材からなる土台と木製の柱材との接続構造に関する。
【背景技術】
【０００２】
この種の接続構造として、土台の上面に設けた接続金物を介して土台と柱材とを接続するものが知られている（例えば、特許文献１乃至特許文献３参照。）。
【０００３】
【特許文献１】特開２００３−１１９９０３号公報（図２）
【特許文献２】特開２００３−１６０９７８号公報（図５）
【特許文献３】特開２００４−２４５０４３号公報（図７）
【発明の開示】
【発明が解決しようとする課題】
【０００４】
ところが、このような従来の接続構造においては、柱材を建て込む前に、何らかの手段によって接続金物を土台に固定しておく必要があることから、その分だけ施工現場での作業が煩雑になるという問題がある。
【０００５】
そこで、本発明は、アルミニウム合金製の押出形材からなる土台と木製の柱材との接続構造であって、柱材を簡単かつ確実に土台に建て込むことが可能な土台と柱材との接続構造を提供することを課題とする。
【課題を解決するための手段】
【０００６】
このような課題を解決する本発明は、中空のアルミニウム合金製の押出形材からなる土台と、木製の柱材との接合構造であって、前記柱材の下端部が、前記土台の上面に形成された開口部から前記土台の内部に嵌挿されていることを特徴とする。
【０００７】
このような土台と柱材との接続構造によると、土台の上面に設けた開口部に柱材の下端部を挿通して当該下端部を土台の内部に嵌め込むだけで、柱材の位置決めと仮固定が完了するので、柱材を簡単かつ確実に土台に建て込むことが可能となる。しかも、この接続構造によると、柱材の下端部が土台の内部に入り込んでいることから、柱材の下端部が土台によって拘束されることになり、その結果、仮固定の状態でも、柱材に傾き等が発生し難い。また、土台の上面と柱材の下端部との間に接続金物等を介設する必要がないので、部品点数を削減することができ、ひいては、コストの低廉化を図ることが可能となる。さらに、土台については、強度の割に軽いアルミニウム合金製の押出形材を利用しているので、現場での取り回しが容易になり、しかも、白蟻の食害を受けず、湿気の多い床下空間に面していても腐朽することがない。加えて、押出形材は、その製作精度が高く、断面寸法の経年変化もないため、柱材との接続部分に有害なひずみを生じさせることもない。また、従来の木製の土台と比較しても軽量で作業性がよい。
【０００８】
なお、本発明においては、前記柱材の下端部を貫通する固着具を前記土台の側面から打ち込んでもよい。このようにすると、柱材の引抜耐力が向上するので、より頑丈な接続構造を提供することが可能となる。
【０００９】
また、本発明においては、前記土台の内部に、前記土台の長手方向に沿って一対の仕切壁を一体に押出成形するとともに、前記柱材を、柱本体と当該柱本体の下端面に突設されたホゾとで構成し、前記柱本体の下端面を前記土台の上面に当接させた状態で、前記ホゾを前記両仕切壁の間に嵌め込んでもよい。つまり、土台の内部に配置した一対の仕切壁によって土台に三つの中空部を形成し、その中央に位置する中空部に柱材のホゾを嵌挿してもよい。このように土台の内部に仕切壁を設けると、鉛直荷重に強い断面構造となる。なお、柱材の下端部にホゾを設け、このホゾを二つの仕切壁の間に嵌め込む構成としたので、柱材を建て込む際に仕切壁が邪魔になることはなく、土台の上面に設けた開口部にホゾを挿通し、当該ホゾを土台内部の一対の仕切壁の間に嵌め込むだけで、柱材の位置決めと仮固定が完了する。なお、柱材の下端部にホゾを設けるには、木材の材端に加工を施す必要があるが、ホゾを設ける程度の加工であれば、在来軸組構法やプレファブ構法を得意とする大工にも受け入れられ易く、木材を工場でプレカットする場合であっても、在来軸組構法に対応している既存の工場設備をそのまま利用することができるので、好適である。
【発明の効果】
【００１０】
本発明に係る土台と柱材との接続構造によると、柱材を簡単かつ確実に土台に建て込むことが可能となる。
【発明を実施するための最良の形態】
【００１１】
以下、本発明を実施するための最良の形態を、添付した図面を参照しつつ詳細に説明する。
【００１２】
図１に示すように、本実施形態に係る土台と柱材との接続構造（以下、単に「接続構造」という。）は、中空のアルミニウム合金製の押出形材からなる土台１０と、木製の柱材２０と、土台１０の側面から打ち込まれた固着具３０，３０とを備えている。なお、本実施形態においては、土台１０の側面に大引４０が接続されている。
【００１３】
土台１０は、図２にも示すように、基礎Ｋの上面に沿って配置されるものであり、本実施形態では、基礎Ｋの上面の適所に配置されたスペーサＳ，Ｓ，…の上面に載置されている。より具体的に説明すると、土台１０は、図３の（ａ）に示すように、スペーサＳを挟んで基礎Ｋの上面と対峙する下壁１１と、この下壁１１と対峙する上壁１２と、下壁１１と上壁１２とを繋ぐように設けられた一対の側壁１３，１３と、この側壁１３，１３の間に設けられた一対の仕切壁１４，１４とを備えており、これらによって、内部に三つの中空部１０Ａ，１０Ｂ，１０Ｃが形成されている。なお、本実施形態では、三つの中空部１０Ａ，１０Ｂ，１０Ｃのうち、中央に位置する中空部１０Ｂの横幅が、その両側に位置する中空部１０Ａ，１０Ｃの横幅よりも大きくなっている。
【００１４】
下壁１１には、図４にも示すように、基礎Ｋから突出するアンカーボルトＢの配置に合わせて、ボルト挿通孔１１ａが形成されており、これに対応して、上壁１２には、下壁１１のボルト挿通孔１１ａの真上にあたる位置にボルト挿通孔１２ａが形成されている。なお、ボルト挿通孔１１ａ，１２ａは、土台１０の短手方向（図３の（ａ）では左右方向）の中央部に形成されており、中央の中空部１０Ｂに通じている。また、ボルト挿通孔１１ａ，１２ａは、アンカーボルトＢの施工誤差に対応できるように、ルーズホールになっている。
【００１５】
上壁１２には、図４に示すように、柱材２０が接続される位置に合わせて、開口部１２ｂが形成されている。この開口部１２ｂは、図３の（ｂ）に示すように、土台１０の短手方向（図３の（ｂ）では左右方向）の中央部に形成されており、中央の中空部１０Ｂ（図３の（ａ）参照）に通じている。なお、開口部１２ｂは、本実施形態では、長方形に成形されており、その横幅ｂが仕切壁１４，１４の離隔距離と等しくなっている。
【００１６】
側壁１３には、図４に示すように、柱材２０が接続される位置に合わせて、一対のピン挿通孔１３ａ，１３ａ（図４参照）が横に並んで形成されている。なお、各ピン挿通孔１３ａには、固着具３０が嵌挿される。
【００１７】
仕切壁１４，１４は、図３の（ａ）に示すように、下壁１１、上壁１２および側壁１３，１３で形成された空間（すなわち、土台１０の内部空間）を仕切るものであり、土台１０の長手方向（図３の（ａ）では紙面垂直方向）に沿って配置されており、かつ、下壁１１のボルト挿通孔１１ａおよび上壁１２のボルト挿通孔１２ａを挟んで対峙している。なお、仕切壁１４には、側壁１３のピン挿通孔１３ａ，１３ａ（図４参照）の位置に合わせて図示せぬピン挿通孔が形成されている。また、仕切壁１４，１４は、下壁１１、上壁１２および側壁１３とともに一体に押出成形される。
【００１８】
ここで、土台１０は、ボルト挿通孔１１ａ，１２ａに挿通されたアンカーボルトＢにナットＮを螺合することで、基礎Ｋに固定される。なお、土台１０の上面とナットＮとの間には、大小二つのワッシャＷ１，Ｗ２が介設される。ここで、大きなワッシャＷ１は、ボルト挿通孔１２ａを塞ぐことができる寸法・形状に成形されており、一対の仕切壁１４，１４を跨ぐように配置される。
【００１９】
柱材２０は、図４に示すように、長尺の柱本体２１と、この柱本体２１の下端面に突設されたホゾ２２とを備えている。
【００２０】
柱本体２１は、本実施形態では、正方形断面を有しており、その一辺の長さが土台１０の横幅と等しくなっている（図３の（ａ）参照）。
【００２１】
ホゾ２２は、土台１０の上面（すなわち、上壁１２）に形成された開口部１２ｂに挿通可能な寸法・形状に成形されており、本実施形態では、直方体を呈している。また、ホゾ２２には、側壁１３のピン挿通孔１３ａ，１３ａに対応する位置に、一対のピン挿通孔２２ａ，２２ａが形成されている。
【００２２】
ホゾ２２の縦幅ａ’は、柱本体２１の一辺の長さＡよりも短く、かつ、開口部１２ｂの縦幅ａと実質的に等しくなっている。また、ホゾ２２の横幅ｂ’は、柱本体２１の一辺の長さＡよりも短く、かつ、開口部１２ｂの横幅ｂと実質的に等しくなっている。つまり、本実施形態においては、ホゾ２２の断面寸法・断面形状が、開口部１２ｂの形状・寸法と実質的に等しくなっている。このようにすると、ホゾ２２が開口部１２ｂに隙間なく嵌まり込むことになるので、柱材２０を土台１０に立設した際に、その土台１０の長手方向の位置決めが容易になる。なお、ホゾ２２の横幅ｂ’は、仕切壁１４，１４の離隔距離と等しくなっていて、ホゾ２２を開口部１２ｂに挿入すると、図３の（ｂ）に示すように、ホゾ２２が仕切壁１４，１４の間に隙間なく入り込むことになる。
【００２３】
なお、ホゾ２２の高さｃ’は、中空部１０Ｂの高さ（深さ）よりもやや小さくなっている。このようにすると、ホゾ２２を中空部１０Ｂに嵌め込んだときに、ホゾ２２の下端面と土台１０の下壁１１との間に隙間が確保され、その結果、柱本体２１の下端面が土台１０の上面に確実に当接することになる。
【００２４】
なお、柱材２０の下端部にホゾ２２を設けるには、木製の角材の材端を適宜な手段によって切除すればよい。ここで、ホゾ２２を設ける程度の加工であれば、在来軸組構法やプレファブ構法を得意とする大工にも受け入れられ易く、木材を工場でプレカットする場合であっても、在来軸組構法に対応している既存の工場設備をそのまま利用することができるので、好適である。
【００２５】
図４に示す固着具３０は、本実施形態では、土台１０の横幅と同じ長さのドリフトピンからなり、側壁１３のピン挿通孔１３ａと仕切壁１４のピン挿通孔（図示せず）とホゾ２２のピン挿通孔２２ａとに貫入される。なお、固着具３０は、柱材２０のホゾ２２を土台１０の中空部１０Ｂ（図３の（ｂ）参照）に嵌挿した後に、土台１０の一方の側壁１３のピン挿通孔１３ａから他方の側壁１３のピン挿通孔１３ａに向かって打ち込まれる。
【００２６】
大引４０は、図４に示すように、中空のアルミニウム合金製の押出形材からなり、土台１０の側面に突設されたブラケット５０を介して土台１０の側面に固定される。ここで、大引４０は、その下壁４１の端部がブラケット５０の突出部分に合わせて切除されており、図１に示すように、大引４０の端部をブラケット５０に覆い被せた状態でブラケット５０に固定される。
【００２７】
ブラケット５０は、アルミニウム合金製の押出形材を適宜な長さで切断したものであり、土台１０の側面にドリリングタッピングねじＤにより固定される。図４を参照してより具体的に説明すると、ブラケット５０は、土台１０の側面に固定される当接板５１と、この当接板５１に垂設された一対の突出板５２，５２と、この突出板５２，５２の先端同士を繋ぐように設けられた連結板５３とを備えている。ここで、突出板５２，５２と連結板５３とで形成される断面コ字形の部位は、大引４０の内部に嵌挿可能な寸法・形状に成形されていて、大引４０の端部をブラケット５０に覆い被せると、突出板５２，５２の外面が大引４０の内部の側面に当接し、突出板５２，５２および連結板５３の上端が大引４０の内部の上面に当接する。なお、本実施形態においては、突出板５２，５２および連結板５３の上端の位置を、当接板５１の上端よりも大引４０の肉厚分だけ下げているため、大引４０の端部をブラケット５０に覆い被せたときに、大引４０の上面と土台１０の上面とが面一になる。
【００２８】
次に、図４を参照して本実施形態に係る接続構造の構築手順を説明する。
まず、土台１０を基礎Ｋに対して固定する。より具体的には、基礎Ｋの上面に適宜な間隔でスペーサＳを配置したうえで、土台１０のボルト挿通孔１１ａ，１２ａに基礎Ｋから突出するアンカーボルトＢを挿通しつつ土台１０をスペーサＳの上面に載置し、その後、土台１０の上面から突出したアンカーボルトＢに大小二つのワッシャＷ１，Ｗ２を環装し、その上からナットＮを螺合すると、土台１０が基礎Ｋに対して固定される。
【００２９】
次に、柱材２０を土台１０に立設する。より具体的には、柱材２０を略鉛直にした状態で、その下端部に形成されたホゾ２２を土台１０の上面に設けた開口部１２ｂに挿通し、柱本体２１の下端面が土台１０の上面に当接するまで、ホゾ２２を土台１０の内部に嵌め込むと、柱材２０が土台１０に立設される。本実施形態では、土台１０の開口部１２ｂの寸法・形状が柱材２０のホゾ２２がちょうど嵌まり込む大きさに形成されているので、ホゾ２２を土台１０の開口部１２ｂに挿通して一対の仕切壁１４，１４の間に嵌め込むだけで、柱材２０の位置決めと仮固定が完了する。なお、本実施形態においては、柱材２０のホゾ２２を二つの仕切壁１４，１４の間に嵌め込む構成としたので、柱材２０を建て込む際に仕切壁１４，１４が邪魔になることはない。
【００３０】
続いて、固着具３０を、土台１０の一方の側壁１３のピン挿通孔１３ａから打ち込んで、仕切壁１４のピン挿通孔（図示せず）とホゾ２２のピン挿通孔２２ａとに貫入し、その先端を他方の側壁１３のピン挿通孔１３ａに到達させる。
【００３１】
次に、大引４０が接続される位置において、ブラケット５０を土台１０の側面（側壁１３）にあてがうとともに、当接板５１にドリリングタッピングねじＤを打ち込んで土台１０の側面にブラケット５０を固定する。なお、本実施形態においては、柱材２０と交差するように大引４０が土台１０に接続されるので、ブラケット５０を土台１０の側面に固定すると、当接板５１によって土台１０のピン挿通孔１３ａが塞がれることになる。つまり、ブラケット５０によって固着具３０の抜け出しが防止されることになる。
【００３２】
その後、大引４０をブラケット５０の上方から落とし込んでブラケット５０に大引４０の端部を嵌め込み、大引４０の側面からブラケット５０の突出板を貫通するように図示せぬドリリングタッピングねじ等を打ち込んで、大引４０の端部をブラケット５０に固定する。
【００３３】
なお、土台１０や大引４０を利用して床組を構築する場合には、例えば、洋室の場合であれば、図５の（ａ）に示すように、土台１０および大引４０の上面に根太６１を配置し、この根太６１の上面に、下地合板６２と床仕上材６３とを敷設すればよい。また、和室を構築する場合には、図５の（ｂ）に示すように、大引４０の取付位置を、図５の（ａ）のものよりも下げたうえで、大引４０の上面に根太６１を配置し、この根太６１と土台１０の上面に下地合板６２と畳６４とを敷設すればよい。和室の大引４０の位置を下げると、畳６４の上面と洋室の床仕上材６３の上面とを面一にすることができるので、バリアフリー住宅を築造する場合に好適である。なお、図５においては、ブラケット５０（図４参照）の図示を省略している。
【００３４】
そして、以上のように構成された接続構造によると、土台１０の上面に設けた開口部１２ｂに柱材２０のホゾ２２を挿通してホゾ２２を土台１０の内部（中空部１０Ｂ）に嵌め込むだけで、柱材２０の位置決めと仮固定が完了するので、柱材２０を簡単かつ確実に土台１０に建て込むことが可能となる。しかも、この接続構造によると、柱材２０のホゾ２２が土台１０の中空部１０Ｂに入り込んでいることから、柱材２０のホゾ２２が土台１０によって拘束されることになり、その結果、仮固定の状態でも、柱材２０に傾き等が発生し難い。また、土台１０の上面と柱材２０の下端部との間に接続金物等を介設する必要がないので、部品点数を削減することができ、ひいては、コストの低廉化を図ることが可能となる。
【００３５】
さらに、土台１０については、強度の割に軽いアルミニウム合金製の押出形材を利用しているので、現場での取り回しが容易になり、しかも、白蟻の食害を受けず、湿気の多い床下空間に面していても腐朽することがない。加えて、押出形材は、その製作精度が高く、断面寸法の経年変化もないため、柱材２０との接続部分に有害なひずみを生じさせることもない。また、土台１０の内部に仕切壁１４，１４を設けてあるので、鉛直荷重に対する強度も大きい。
【００３６】
また、土台１０と柱材２０のホゾ２２とを貫通する固着具３０により、柱材２０の引抜強度が向上するので、ホールダウン金物等を省略することが可能となる。
【００３７】
また、土台１０と大引４０との接続部についてみると、この接続部では、ブラケット５０の上端面（つまり、突出板５２，５２の上端）に大引４０の内部の上面が当接して大引４０の下方向への移動が拘束されるので、鉛直方向に対する強度が高く、さらに、ブラケット５０の外面（つまり、突出板５２の外側の側面）が大引４０の内部の側面に当接して大引４０の横方向への移動が拘束されるので、水平荷重に対する強度も高い。
【００３８】
なお、本実施形態においては、柱材２０が接続される位置に大引４０が接続される場合を例示したが、間取り等によっては、大引４０を他の位置に取り付けることもできる。
【図面の簡単な説明】
【００３９】
【図１】本実施形態に係る土台と柱材との接続構造を示す斜視図である。
【図２】本実施形態に係る土台と柱材との接続構造を示す側面図である。
【図３】（ａ）は図２のＸ−Ｘ線断面図、（ｂ）は図２のＹ−Ｙ線断面図である。
【図４】本実施形態に係る土台と柱材との接続構造を示す分解斜視図である。
【図５】（ａ）および（ｂ）は土台と大引との位置関係を示す断面図である。
【符号の説明】
【００４０】
１０      土台
１２ｂ    開口部
１４      仕切壁
２０      柱材
２１      柱本体
２２      ホゾ
３０      固着具
【図１】
2006207208.tif 000003
【図２】
2006207208.tif 000004
【図３】
2006207208.tif 000005
【図４】
2006207208.tif 000006
【図５】
2006207208.tif 000007